(57)【要約】本発明は、搬送機器(１０)を備え、物体、好ましくは、容器を搬送するための装置に関する。搬送機器は、物体を搬送するように構成されている。装置は、搬送装置上で搬送される物体を案内するように構成されたレール(１４)をさらに備える。レールは、物体を案内するガイド部材(２０)を有している。レールは、ガイド部材に隣接して配置され、ガイド部材を補強するように構成された複数の補強部(２２)をさらに有している。【選択図】図１
2020533250.tif 000002
【特許請求の範囲】
【請求項１】
物体、好ましくは、容器を搬送するための装置であって、
物体を搬送する搬送機器と、
前記搬送機器上を搬送される前記物体を案内するレールと、を備え、
前記レールは、
前記搬送機器の全長にわたって延在し、前記物体を案内するよう構成された弾性のガイド部材と、
互いに間隔を置いて前記ガイド部材に隣接して配置され、前記弾性のガイド部材を補強するように構成された複数の補強部と、を有する
ことを特徴とする装置。
【請求項２】
前記ガイド部材は、断面Ｃ字形状を有し、前記複数の補強部は、前記ガイド部材の前記Ｃ字形状内に配置されるよう構成されている
ことを特徴とする請求項１に記載の装置。
【請求項３】
前記複数の補強部は、断面Ｃ字形状をそれぞれ有し、
前記複数の補強部は、前記ガイド部材の溝に係合するよう構成されている
ことを特徴とする請求項１に記載の装置。
【請求項４】
前記複数の補強部は、金属、好ましくはアルミニウムまたはスチール製である
ことを特徴とする請求項１〜３のいずれか１項に記載の装置。
【請求項５】
前記ガイド部材は、プラスチック、好ましくは押出プラスチックからなる
ことを特徴とする請求項１〜４のいずれか１項に記載の装置。
【請求項６】
前記弾性のガイド部材が固定される少なくとも１つのレールホルダをさらに備える
ことを特徴とする請求項１〜５のいずれか１項に記載の装置。
【請求項７】
前記レールホルダは、前記レールの空間的経路を画定するよう構成されている
ことを特徴とする請求項６に記載の装置。
【請求項８】
前記複数の補強部は、１０〜５００ｍｍ、好ましくは５０ｍｍ、１００ｍｍまたは２００ｍｍの長さを有する
ことを特徴とする請求項１〜７のいずれか１項に記載の装置。
【請求項９】
前記複数の補強部は、前記ガイド部材に連結可能に構成されている
ことを特徴とする請求項１〜８のいずれか１項に記載の装置。
【請求項１０】
物体、好ましくは、容器を搬送する装置を製造する方法であって、
物体を搬送するように構成された搬送機器を準備することと、
前記搬送機器上を搬送される前記物体を案内するように構成されたレールを準備することと、を含み、
前記レールは、
前記搬送機器の全長にわたって延在し、前記物体を案内するように構成された弾性のガイド部材と、
前記ガイド部材に隣接して配置され、前記弾性のガイド部材を補強するように構成された、互いに連結されていない複数の補強部と、を有する
ことを特徴とする方法。
【請求項１１】
前記レールの正確な経路は、前記搬送装置が組み立て終わるまで確立しない
ことを特徴とする請求項１０に記載の方法。
【請求項１２】
前記弾性のガイド部材が固定される複数のレールホルダを準備すること、をさらに含む、
ことを特徴とする請求項１０または１１に記載の方法。
【請求項１３】
前記弾性のガイド部材は、前記レールホルダ間の領域において前記複数の補強部によって補強される
ことを特徴とする請求項１０〜１２のいずれか１項に記載の方法。
【請求項１４】
前記複数の補強部は、互いに連結可能に構成されており、前記弾性のガイド部材を補強した後、互いに強固に連結される
ことを特徴とする請求項１０〜１３のいずれか１項に記載の方法。
【発明の詳細な説明】
【技術分野】
【０００１】
本発明は、物体、好ましくは、容器を搬送するための装置に関する。この装置は、物体を搬送するように構成された搬送機器を備えている。この装置は、さらに、搬送機器上を搬送される物体を案内するように構成されたレールを備えている。また、この装置は、さらに、物体を案内するためのガイド部材を有するレールを備えている。
【背景技術】
【０００２】
レールを備えた従来の搬送装置において、レールに弾性のガイド部材を使用し、ガイド部材に補強板を設けることが知られている。補強板は、ガイド部材に連結され、これにより、レールの安定性が確保される。補強板は、この目的のために予め成形され、搬送装置の最終組み立て中にガイド部材に連結される。この手順では、最終組み立て中にレールの形状を修正しなければいけなくなった場合、レールの調整を面倒にさせる。この場合、補強板を再形成しなければならないか、または新たな補強板を作成しなければならない。
【発明の概要】
【０００３】
そこで、本発明の課題とするところは、形状をより簡単に調整することができるレールを備えた搬送装置を提供することにある。
【０００４】
上記課題を解決するために、搬送機器を備え、物体、好ましくは容器を搬送するための搬送装置を提案する。この搬送機器は、物体を搬送するように構成されている。この装置は、さらに、搬送機器上を搬送される物体を案内するように構成されたレールを備える。レールは、物体を案内するように構成され、搬送機器の全長にわたって延在する弾性のガイド部材を有する。さらに、レールは、互いに間隔をおいてガイド部材に隣接して配置され、弾性のガイド部材を補強するように構成された複数の補強部を有する。
【０００５】
ガイド部材が弾性的に構成されていることにより、レールの形状を、最終的な組み立て中においてガイド部材が補強部によって補強される前に、自由に選択することができる。ガイド部材は、好ましくはプラスチック部材として、特に好ましくは押出成形された細長いプラスチック部材として構成される。
【０００６】
複数の補強部を使用してレールのガイド部材を補強することにより、レールの形状を容易に調整することができる。搬送装置の最終的な組み立ての際に、正確なレール形状を予め決めておく必要はなく、対応する補強板を製造する必要もない。それどころか、特定のレール形状をその場で決定し、決定された形状に応じてガイド部材を形成することができる。次いで、ガイド部材は、補強部によって補強され、その最終的な形状が規定される。
【０００７】
レールの形状は、物体の適切な案内の確保のためにレールを変更しなければいけなくなった場合には、修正することもできる。複数の補強部を使用することによって、それら補強部のうちの１つまたは複数を除去または交換することができ、それによってガイド部材を再形成することができる。次いで、ガイド部材を補強部によって再び補強することができ、それにより、レールの全体的な形状を変更することができる。また、補強部によってレールをさらに移動させることも考慮されており、そのため、その過程において補強部を傷つけることなくレールの形状を変更することができる。これは、単一の補強プロファイルを使用する場合には、ほぼ不可能である。レールは、補強部によって、異なる物体に対応することもできる。例えば、重量の異なるボトルを搬送機器によって搬送することができる。重いボトルは、より高い剛性および慣性を有するレールによって案内することができ、より低い剛性および慣性を有するレールは、軽いボトルにとって有利になり得る。レールの剛性および慣性は、補強部によって設定することができる。
【０００８】
本明細書中で使用される用語「搬送機器」は、上記で指定された物体の搬送において一般的に使用される任意の型の搬送体を含む。ボトルまたは缶は、好ましくは無端チェーンリンクコンベヤまたはコンベヤベルト上を搬送され、無端チェーンリンクコンベヤまたはコンベヤベルトは、偏向ローラを介してモータ駆動され、直線および曲線の両方で構成され得る。しかしながら、本発明は、チェーンリンクコンベヤまたはコンベヤベルトの使用に限定されない。
【０００９】
ガイド部材は、断面Ｃ字形状でもよい。補強部は、ガイド部材に挿入することができる。この場合、ガイド部材は、補強部を囲む。
【００１０】
ガイド部材は、好ましくは、搬送機器上の物体と接触し、案内するよう構成されており、それにより、物体は、所望のとおり搬送機器上で搬送され得る。本発明の意味における物体は、ガラス瓶、プラスチック瓶、容器、缶、ケース、または他のパッケージなどの容器でもよい。
【００１１】
ガイド部材がＣ字形状である場合、補強部は、断面矩形状であることが好ましい。それによって、補強部は、ガイド部材の断面視Ｃ字形状に容易に挿入または押し込むことができる。
【００１２】
または、補強部は、断面Ｃ字形状であってもよい。この場合、好ましくはガイド部材に溝が設けられ、それにより、補強部は、そのガイド部材の溝に係合することができる。この実施形態では、ガイド部材を補強部に押し込むことができる。
【００１３】
概して、ガイド部材および補強部は、ガイド部材が運搬機器上の物体を案内するように適切に構成され、補強部がガイド部材を補強するように構成される限り、任意の形状を有することができる。
【００１４】
ガイド部材および補強部は、相補的な形状を有することができ、これにより、ガイド部材は、補強部に確実に係止するように連結することができる。これに加えて、またはこれに代えて、ガイド部材は、補強部に材料結合方式で連結することもできる。
【００１５】
補強部は、好ましくは、金属からなる。金属は、例えば、アルミニウムまたはスチール、好ましくは、ステンレス鋼が考えられる。補強部は、石材またはセラミックでもよい。これにより、レールの安定性を確保することができ、その結果、レールは、搬送機器によってレールに押し当てられる物体によって基本的に変形させられることがない。
【００１６】
搬送装置は、好ましくは、単一のガイド部材を有するレールを備える。複数のレールが設けられるか、または複数のガイド部材が設けられる場合、複数の補強部、好ましくは少なくとも３つの補強部、特に好ましくは５つまたは７つの補強部が、各ガイド部材に割り当てられる。
【００１７】
仮に、本発明に係る補強部なしに弾性のガイド部材が設けられると、搬送機器によってガイド部材に押し当てられる物体は、ガイド部材の弾力によって弾性的に押し戻されることにより跳ね返り、場合によっては倒れる可能性がある。補強部を使用することにより、特に金属補強部を使用する場合には、ガイド部材の慣性力が増大し、これにより、物体とレールとの間の衝撃が減衰させられる。そのため、物体の転倒を防止することができる。
【００１８】
さらに、補強部をガイド部材と組み合わせて使用することにより、搬送機器によってレールに押し当てられる複数の物体の圧力にレールが耐え得ることを確保する。
【００１９】
搬送装置は、好ましくは、弾性のガイド部材を固定することができる少なくとも１つのレールホルダを備える。レールホルダは、好ましくは、レールホルダ間に配置された補強部のガイド部材に対する位置も同時に保持されるように、弾性のガイド部材に連結される。
【００２０】
このようにして、レールホルダは、補強部がガイド部材に対して横方向にスライドすることを防止することができるので、レールの寸法安定性を提供することができる。
【００２１】
レールホルダは、好ましくは、レールの空間的経路を画定するように形成することができる。この目的のために、レールホルダは、レールホルダの位置にガイド部材を部分的に固定するために、弾性のガイド部材に連結され得る。好ましくは複数のレールホルダが設けられ、弾性のガイド部材を複数のレールホルダに固定することができる。これにより、ガイド部材を複数の位置に固定することができる。レールが湾曲した経路をたどるか、または比較的直線的な経路を有するかに関係なく、より多くのまたはより少ないレールホルダを設けることができる。弾性のガイド部材は、いずれの場合にも、複数の補強部材のうちの１つを介して１つのレールホルダに連結することができる。レールホルダは、搬送機器にしっかりと連結され得る。
【００２２】
補強部の長さは、好ましくは１０〜５００ｍｍであり、好ましくは５０ｍｍ、１００ｍｍまたは２００ｍｍの長さを有する。それによって、異なる長さの補強部を異なる用途に使用することができる。レールがカーブ半径の小さい湾曲した経路を有する場合、レールのガイド部材を補強するために、例えば５０ｍｍの短い補強部が使用される。他方、レールが比較的真っ直ぐな経路を有する場合、レールのガイド部材を補強するために、例えば、２００ｍｍといった、より長い補強部を使用することができる。したがって、特定の適用分野に応じて、レールガイドを最終組み立ての位置に容易に設置することができ、この目的のために予め成形された補強プロファイルを使用する必要がない。
【００２３】
補強部は、好ましくは、直線状の経路を有する。さらに、補強部は、予め成形することもでき、曲線をなす、すなわち湾曲した経路を有することもできる。このようにして、適切な補強部を使用することにより、異なるレール形状を実現することができる。例えば、複数の、直線状の補強部、小さな湾曲を有する補強部および大きな湾曲を有する補強部を設けることができ、適切な補強部を使用することにより、対応するレールの成形をレールの最終組み立て中に実現することができる。
【００２４】
補強部は、互いに連結可能であることが好ましい。これにより、補強部は、レールのガイド部材に対してずれたり滑ったりすることを防止される。
【００２５】
特に好ましくは、補強部は、互いに強固に連結され得る。これにより、レールのガイド部材の経路を容易に変更可能なことが保証される。同時に、レールの経路が確立された後、補強部を強固に連結することができ、これによってレールの高い寸法安定性を達成することができる。補強部の互いの連結は、当業者に周知の任意の方法で行われてもよい。
【００２６】
本発明は、さらに、物体、好ましくは容器を搬送するための装置を製造するための方法に関する。
当該方法は、
物体を搬送するように構成された搬送機器を準備することと、
搬送機器において搬送される物体を案内するように構成されたレールを準備することと、を含む。
上記レールは、上記物体を案内するように構成され、上記搬送機器の全長にわたって延在する弾性のガイド部材と、互いに間隔をおいて上記弾性のガイド部材に隣接して配置され、上記弾性のガイド部材を補強するように構成された複数の補強部と、を有する。
【００２７】
本発明による方法の主な利点は、レールの正確な経路を搬送装置の組み立て中に確立する必要がないことである。この目的のために、弾性のガイド部材は、まず、１つまたは複数のレールホルダに固定される。レールホルダの正確な位置決めは、多くの場合、組み立て時に行われず、その結果、従来のレールシステムでは、この時点までレール部品の正確な製造を開始することができなかった。一方、本発明による方法では、弾性のガイド部材を任意の所望のレール経路に適合させることができる。
【００２８】
好ましくは、弾性のガイド部材は、レールホルダ間の領域において複数の補強部材によって補強される。
【００２９】
補強部は、好ましくは互いに連結可能に構成され、その結果、弾性のガイド部材が補強された後に互いに強固に連結され得る。このように、従来のガイドレールと同様に安定し、かつ、搬送機器を設置する際により柔軟に使用することができるガイドレールを得ることができる。
【００３０】
以下、本発明について、添付の図面を参照しつつ、詳細に説明する。
【図面の簡単な説明】
【００３１】
【図１】本発明に係る、湾曲した経路を有する搬送装置の説明図である。
【図２】本発明に係る、直線的な経路および補強部を有する搬送装置の説明図である。
【図３】本発明に係る、直線的な経路および少数の補強部を有する搬送装置の説明図である。
【図４】本発明に係る、ガイド部材および補強部を有するレールの断面図である。
【図５】別の実施形態に係るレールのガイド部材および補強部を示す別の断面図である。
【発明を実施するための形態】
【００３２】
図１は、物体を搬送するための装置を示す。この装置は、搬送機器１０を備える。搬送機器１０は、物体を搬送するように構成されている。この目的のために、搬送機器１０は、複数のコンベヤベルト１２を有する。ガラス瓶などの物体は、コンベヤベルト１２上を図１に示す矢印の方向に搬送される。
【００３３】
図１に示す例では、４つのコンベヤベルト１２が示されており、これらコンベヤベルト１２上を搬送される物体は、コンベヤベルト１２のより狭い経路上に案内されるようになっている。コンベヤベルト１２の数は、４つから２つに減らされるようになっている。この目的のために、装置は、レール１４を備える。レール１４は、コンベヤベルト１２の搬送面の上方に配置され、コンベヤベルト１２上を搬送される物体を、容器の流れを絞る経路に沿って案内する。この目的のために、レール１４は、湾曲した形状を有する。
【００３４】
レール１４の形状を湾曲させるために、レールホルダ１６が設けられ、レールホルダは、連結軸１８によってレール１４に連結される。
【００３５】
図２は、本発明に係る、直線的な経路を有する搬送装置を示す。設置および変更が容易なレール１４を提供するために、レール１４は、ガイド部材２０を有する。複数の補強部２２は、ガイド部材２０を補強するために設けられる。複数の補強部２２は、単一の長いガイド部材２０に割り当てられ、ガイド部材２０を確実に補強する。多数の物体が集積した場合、レール１４は、補強材によって望ましくない変形から保護される。さらに、補強部２２は、レール１４に押し当てられた物体を転倒させないようにする。そのために、補強部２２は、レール１４の慣性をその自重によって増加させる。
【００３６】
図２に示すとおり、補強部２２は、ガイド部材２０内で直線上に互いに隣接して配置される。このようにして、補強部２２は、ガイド部材２０を満たす。別の方法として、補強部２２は、ガイド部材２０内に、単に分離して設けられてもよい。この場合の例を図３に示す。補強部２２の数は、レール１４の所望の特性、特にレール１４の所望の剛性および慣性に応じて、選択することができる。
【００３７】
ガイド部材２０および補強部２２は、断面形状が異なってもよい。例示的な断面形状を２つ、図４および図５に示す。図４は、断面Ｃ字形状であるガイド部材２０の一実施形態を示す。補強部２２は、断面形状が矩形であって、ガイド部材２０によって囲まれている。補強部２２は、レールの設置中に、ガイド部材２０内に押し込まれてもよい。
【００３８】
図５は、断面Ｃ字形状である補強部２２の一実施形態を示す。ガイド部材２０は、補強部を挿入することができる溝２４を有する。したがって、図４および図５に示す実施形態において、ガイド部材２０と補強部２２とが確実に係止される。
【００３９】
補強部２２がガイド部材２０に対して滑ることを防止するために、レールホルダ１６は、例えば、連結点２６で個々の補強部２２にしっかりと連結されることから、ガイド部材に固定することができる。レールホルダ１６が補強部２２に強固に連結されることは、図２に概略的に示されている。さらに、レールホルダ１６が個々の補強部２２に強固に連結されることによって、レールの形状が決定する。この目的のために、レールホルダ１６は、連結点２６とは反対側の端部、例えば、搬送機器１０などにしっかりと取り付けられる。
【００４０】
代替的または追加的に、補強部２２は、ガイド部材２０にしっかりと連結することができるよう構成されてもよい。この場合、個々のまたは全ての補強部２２は、ガイド部材２０にしっかりと連結することができ、それによって、補強部２２は、ガイド部材２０に対して滑ることを防止される。好ましくは、レールホルダ１６は、連結点２６で個々の補強部２２にしっかりと連結することができ、かつ、補強部２２は、ガイド部材２０にしっかりと連結することができる。
【図１】
2020533250.tif 000003
【図２】
2020533250.tif 000004
【図３】
2020533250.tif 000005
【図４】
2020533250.tif 000006
【図５】
2020533250.tif 000007
【国際調査報告】
2020533250.tif 000008
2020533250.tif 000009
2020533250.tif 000010
2020533250.tif 000011